(57)【要約】【課題】出口からの虫の侵入を防ぎつつ、屋外からの空気を室内側へ吸い込むことができる空気調和機の排気排塵吸気ダクトを提供すること。【解決手段】本発明の排気排塵ダクトは、換気やエアフィルターに付着した塵埃を排出する換気ホースの先端に取付けられる排気排塵ダクトであって、前記排塵ダクトは軸部と、前記軸部の端部に開閉可能に設けられた開閉扉とを備え、前記軸部の外周部に複数の穴を設けたことにより、ダクトからの排気と吸気とを両立させつつ、開閉扉を設けているので虫等の侵入を防ぐことができる。【選択図】図１
2011191024.tif 000002
【特許請求の範囲】
【請求項１】
換気やエアフィルターに付着した塵埃を排出する換気ホースの先端に取付けられる排気排塵ダクトであって、前記排塵ダクトは軸部と、前記軸部の端部に開閉可能に設けられた開閉扉とを備え、前記軸部の外周部に複数の穴を設けたことを特徴とする排気排塵ダクト。
【請求項２】
換気やエアフィルターに付着した塵埃を排出する換気ホースの先端に取付けられる排気排塵ダクトであって、前記排塵ダクトは軸部と、前記軸部の端部に開閉可能に設けられた開閉扉とを備え、前記軸部の外周部に複数のスリットを設けたことを特徴とする排気排塵ダクト。
【発明の詳細な説明】
【技術分野】
【０００１】
本発明は、エアフィルターを自動で清掃する機能を有する空気調和機に関するもので、特に、塵埃を排出するために換気ホースの先端に設けられる排気排塵ダクトに関する。
【背景技術】
【０００２】
従来のこの種の空気調和機の排気排塵ダクトとして、図３、図４に示されるようなものがあった（例えば、特許文献参照）。
【０００３】
図３は、従来の空気調和機の排気排塵ダクトの斜視図であり、図４は、同排気排塵ダクトのカフス４を外した状態の斜視図である。図３、図４において、従来の排気排塵ダクト１は、換気ホース（図示せず）の先端に係止される筒状の軸部分２０と、軸部分２０の先端に回動自在に取着された流路開閉蓋３と、流路開閉蓋３を覆うように軸部分２０の先端に取着されたカフス４から構成されている。
【０００４】
そして、通常は、流路開閉蓋３が軸部分２０の端面などに当接して封止しており、外部からの虫等の侵入を防いでいる一方で、換気機能やエアフィルターの自動清掃機能を動作させたときに、換気機能動作時の風圧や、エアフィルターより除去された塵埃を換気ホースを通して外部に排出するときの風圧で、流路開閉蓋３が開き、室内の空気や除去され塵埃が、排気排塵ダクトより屋外へ排出される構造となっている。
【先行技術文献】
【特許文献】
【０００５】
【特許文献１】特開２００６−１４５１０８号公報
【発明の概要】
【発明が解決しようとする課題】
【０００６】
しかしながら、前記従来の空気調和機の排気排塵ダクトの構成では、屋内側からの埃を屋外側へ排出することはできるが、逆に屋外側からの空気を屋内へ吸気することができない。吸気を試みた場合、虫の侵入を塞ぐ効果を有している流路開閉蓋３が、閉塞状態になって蓋が塞がり、空気の流入を妨げてしまうという課題を有していた。
【０００７】
本発明は、前記従来の課題を解決するもので、出口からの虫の侵入を防ぎつつ、屋外からの空気を室内側へ吸い込むことができる空気調和機の排気排塵吸気ダクトを提供することを目的とする。
【課題を解決するための手段】
【０００８】
前記従来の課題を解決するために、本発明の排気排塵ダクトは、換気やエアフィルターに付着した塵埃を排出する換気ホースの先端に取付けられる排気排塵ダクトであって、前記排塵ダクトは軸部と、前記軸部の端部に開閉可能に設けられた開閉扉とを備え、前記軸部の外周部に複数の穴を設けたことにより、ダクトからの排気と吸気とを両立させつつ、開閉扉を設けているので虫等の侵入を防ぐことができる。
【０００９】
また、前記従来の課題を解決するために、本発明の排気排塵ダクトは、換気やエアフィルターに付着した塵埃を排出する換気ホースの先端に取付けられる排気排塵ダクトであって、前記排塵ダクトは軸部と、前記軸部の端部に開閉可能に設けられた開閉扉とを備え、前記軸部の外周部に複数のスリットを設けたことにより、ダクトからの排気と吸気とを両立させつつ、開閉扉を設けているので虫等の侵入を防ぐことができる。
【発明の効果】
【００１０】
本発明は、出口からの虫の侵入を防ぎつつ、屋外からの空気を室内側へ吸い込むことができる空気調和機の排気排塵吸気ダクトを提供することができる。
【図面の簡単な説明】
【００１１】
【図１】本発明の実施の形態１における排気排塵ダクトの側面図
【図２】本発明の実施の形態２における排気排塵ダクトの側面図
【図３】従来の排気排塵ダクトの斜視図
【図４】従来の排気排塵ダクトの斜視図
【発明を実施するための形態】
【００１２】
第１の発明の排気排塵ダクトは、換気やエアフィルターに付着した塵埃を排出する換気ホースの先端に取付けられる排気排塵ダクトであって、前記排塵ダクトは軸部と、前記軸部の端部に開閉可能に設けられた開閉扉とを備え、前記軸部の外周部に複数の穴を設けたことにより、ダクトからの排気と吸気とを両立させつつ、開閉扉を設けているので虫等の侵入を防ぐことができる。
【００１３】
第２の発明の排気排塵ダクトは、換気やエアフィルターに付着した塵埃を排出する換気ホースの先端に取付けられる排気排塵ダクトであって、前記排塵ダクトは軸部と、前記軸部の端部に開閉可能に設けられた開閉扉とを備え、前記軸部の外周部に複数のスリットを設けたことにより、ダクトからの排気と吸気とを両立させつつ、開閉扉を設けているので虫等の侵入を防ぐことができる。
【００１４】
以下、本発明の実施の形態について、図面を参照しながら説明する。なお、この実施の形態によって本発明が限定されるものではない。
【００１５】
（実施の形態１）
図１は、本実施の形態１における空気調和機の排気排塵ダクトの側面図である。なお、上記従来の空気調和機の排気排塵ダンパーと同一部分については、同一符号を用いてその説明を省略する。
【００１６】
図１において、本実施の形態における空気調和機の排気排塵ダクト１は、空気調和機（図示せず）に接続された換気ホースの先端に係止される軸部２と、開閉扉３によって構成されており、軸部の外周に穴５を設けている。
【００１７】
空気調和機に内蔵されたエアフィルター自動掃除機能が動作すると、軸部２に接続された換気用の換気ホースを通して、エアフィルター（図示せず）より除去されたホコリが、排気排塵ダクトに流入し、流露開閉蓋３が開いた状態になり、屋外へ排出される構造となっている。
【００１８】
また、屋外からの空気を屋内側へ吸引する場合には、開閉扉は、閉じた状態になり、穴５から空気を取り込んで、吸引を行う。これによって、開閉扉３を設けたまま吸気も排気も可能になる。
【００１９】
（実施の形態２）
図２は、本実施の形態２における空気調和機の排気排塵ダクトの側面図である。実施の形態１と異なる箇所は、穴５に変えて横長のスリット形状６にしたことである。
【００２０】
これによって、エアフィルター自動掃除機能にて、エアフィルターより除去・回収され
たホコリを屋外に排出した場合、流露開閉蓋３が開いて、円滑に塵埃を排出することができる。また、運転停止時や屋外からの空気を吸引する場合には、流路開閉蓋が閉まった状態になっており、軸部の外周面に設けた穴やスリットは非常に小さいため、そこからの虫の侵入を防止することができる。
【産業上の利用可能性】
【００２１】
本発明の空気調和機の排気排塵ダクトは、エアフィルター自動掃除機能で除去されたホコリを、換気ホースを介して確実に屋外に排出させることができると共に、出口からの虫などの侵入も防ぐことができることが可能となるため、エアフィルター掃除機能を搭載した空気調和機などの用途に広く適用できる。
【符号の説明】
【００２２】
１  排気排塵ダクト
２  軸部
３  流路開閉蓋
４  カフス
５  穴
６  スリット形状
【図１】
2011191024.tif 000003
【図２】
2011191024.tif 000004
【図３】
2011191024.tif 000005
【図４】
2011191024.tif 000006